(57)【要約】【課題】シートを正常に搬送する。【解決手段】搬送装置１は、搬送ローラ５２、ピンチローラ５３、これらローラ５２，５３を支持する支持部材、第１位置と第２位置との間において移動する移動部材８０と、シートを搬送するための搬送路の一部を構成する閉状態と当該搬送路の一部を開放する開状態とに変化可能な外側ガイド部材１８と、外側ガイド部材１８が開状態をとるときに移動部材８０を第２位置に移動させ、外側ガイド部材１８が閉状態をとるときに移動部材８０を第１位置に移動させる連動機構９０とを含む。移動部材は、第１位置において、搬送ローラ５２とピンチローラ５３とを第１搬送位置とし、第２位置において、搬送ローラ５２とピンチローラ５３とを第１退避位置とする。【選択図】図５
2015178400.tif 000002
【特許請求の範囲】
【請求項１】
第１ローラを有する第１ローラユニットと、
前記第１ローラと対向し、前記第１ローラとでシートを挟持しつつ搬送するための第２ローラを有する第２ローラユニットと、
前記第１ローラと前記第２ローラとがシートを挟持しつつ搬送する第１搬送位置と、前記第１ローラと前記第２ローラとでシートを挟持する挟持力が前記第１搬送位置におけるよりも小さくなる第１退避位置とをとることが可能に前記第１及び第２ローラユニットを支持する支持部材と、
前記第１及び第２ローラユニットの少なくともいずれかと係合し、前記第１ローラと前記第２ローラとを前記第１搬送位置とする第１位置と、前記第１ローラと前記第２ローラとを前記第１退避位置とする第２位置との間において移動する移動部材と、
シートを搬送するための搬送路の一部を構成するガイド部を有し、前記搬送路の一部を構成する閉状態と、前記搬送路の一部を開放する開状態とに変化可能なカバー部と、
前記カバー部が前記開状態をとるときに前記移動部材を前記第２位置に移動させ、前記カバー部が前記閉状態をとるときに前記移動部材を前記第１位置に移動させる連動機構と、
を備えていることを特徴とする搬送装置。
【請求項２】
前記連動機構は、前記カバー部が少なくとも前記閉状態をとるときに前記移動部材が前記カバー部に当接するように、前記移動部材を前記カバー部に向けて付勢する付勢部材を有していることを特徴とする請求項１に記載の搬送装置。
【請求項３】
前記第１退避位置において、前記第１ローラと前記第２ローラとが離隔していることを特徴とする請求項１又は２に記載の搬送装置。
【請求項４】
シートの搬送向きにおいて、前記第１及び第２ローラよりも下流に配置された第３ローラを有する第３ローラユニットと、
前記第３ローラと対向し、前記第３ローラとでシートを挟持しつつ搬送するための第４ローラを有する第４ローラユニットと、をさらに備えており
前記支持部材は、前記第３ローラと前記第４ローラとがシートを挟持しつつ搬送する第２搬送位置と、前記第３ローラと前記第４ローラとでシートを挟持する挟持力が前記第２搬送位置におけるよりも小さくなる第２退避位置とをとることが可能に前記第３及び第４ローラを支持しており、
前記移動部材は、前記第３及び第４ローラユニットの少なくともいずれかと係合し、前記第１位置において前記第３ローラと前記第４ローラとを前記第２搬送位置とし、前記第２位置において前記第３ローラと前記第４ローラとを前記第２退避位置とすることを特徴とする請求項１〜３のいずれか１項に記載の搬送装置。
【請求項５】
前記第２退避位置において、前記第３ローラと前記第４ローラとが離隔していることを特徴とする請求項４に記載の搬送装置。
【請求項６】
前記第２ローラに向けて前記第１ローラを付勢する第１付勢部と、
前記第４ローラに向けて前記第３ローラを付勢する第２付勢部と、をさらに備えており、
前記移動部材は、少なくとも前記第２位置において前記第１及び第３ローラユニットと当接していることを特徴とする請求項３に記載の搬送装置。
【請求項７】
前記第１及び第２ローラ、前記支持部材、前記連動機構、及び、前記移動部材を収容する筐体をさらに備えており、
前記カバー部が、前記筐体に対して回動可能に取り付けられていることを特徴とする請求項１〜６のいずれか１項に記載の搬送装置。
【請求項８】
前記移動部材は、シートの搬送方向に直交する方向に関して、前記搬送路の外側に配置されていることを特徴とする請求項１〜７のいずれか１項に記載の搬送装置。
【発明の詳細な説明】
【技術分野】
【０００１】
本発明は、シートを搬送する搬送装置に関する。
【背景技術】
【０００２】
特許文献１には、用紙（シート）を挟持しつつ搬送する第１ローラ及び第２ローラと、第２ローラを第１ローラに接触させる第１状態と第２ローラを第１ローラから離間させる第２状態とを切り換え可能なローラ支持部材と、ローラ支持部材の状態切換を行うスライダとを有するプリンタについて記載されている。このプリンタにおいては、紙ジャムが生じたときに、ユーザがスライダを引き出すように操作することで、第２ローラを第１ローラから離隔させる第２状態に切り換えることが可能となる。これにより、第１ローラ及び第２ローラに挟まれた用紙を容易に除去することが可能となる。
【先行技術文献】
【特許文献】
【０００３】
【特許文献１】特開２０１３−２３０９２１号公報
【発明の概要】
【発明が解決しようとする課題】
【０００４】
しかしながら、上記特許文献１に記載のプリンタにおいては、紙ジャムによって詰まった用紙を除去した後、ユーザがスライダを操作することで、第２ローラを第１ローラに接触させる第１状態に切り換える。このため、ユーザがスライダを操作し忘れて、再度、用紙搬送を実行すると、第１ローラ及び第２ローラは第２状態であるため、用紙が正常に搬送されないという問題が生じる。
【０００５】
そこで、本発明の目的は、シートを正常に搬送することが可能な搬送装置を提供することである。
【課題を解決するための手段】
【０００６】
本発明の搬送装置は、第１ローラを有する第１ローラユニットと、前記第１ローラと対向し、前記第１ローラとでシートを挟持しつつ搬送するための第２ローラを有する第２ローラユニットと、前記第１ローラと前記第２ローラとがシートを挟持しつつ搬送する第１搬送位置と、前記第１ローラと前記第２ローラとでシートを挟持する挟持力が前記第１搬送位置におけるよりも小さくなる第１退避位置とをとることが可能に前記第１及び第２ローラユニットを支持する支持部材と、前記第１及び第２ローラユニットの少なくともいずれかと係合し、前記第１ローラと前記第２ローラとを前記第１搬送位置とする第１位置と、前記第１ローラと前記第２ローラとを前記第１退避位置とする第２位置との間において移動する移動部材と、シートを搬送するための搬送路の一部を構成するガイド部を有し、前記搬送路の一部を構成する閉状態と、前記搬送路の一部を開放する開状態とに変化可能なカバー部と、前記カバー部が前記開状態をとるときに前記移動部材を前記第２位置に移動させ、前記カバー部が前記閉状態をとるときに前記移動部材を前記第１位置に移動させる連動機構と、を備えている。
【０００７】
これによると、カバー部を開状態とした後、シートを搬送するためにカバー部を閉状態に戻すと、移動部材を第２位置から第１位置に移動させることが可能となる。このため、第１及び第２ローラが第１退避位置をとっていても、シートを搬送する際には第１及び第２ローラが第１搬送位置をとることが可能となる。この結果、シートを正常に搬送することが可能となる。
【０００８】
本発明において、前記連動機構は、前記カバー部が少なくとも前記閉状態をとるときに前記移動部材が前記カバー部に当接するように、前記移動部材を前記カバー部に向けて付勢する付勢部材を有していることが好ましい。これにより、カバー部は、閉状態をとるときに移動部材を介して付勢部材によって付勢される。このため、カバー部が位置決めされ、搬送路の一部を構成するガイド部の位置が安定する。
【０００９】
また、本発明において、前記第１退避位置において、前記第１ローラと前記第２ローラとが離隔していることが好ましい。これにより、ジャムしたシートを第１ローラと第２ローラとの間から除去しやすくなる。
【００１０】
また、本発明において、シートの搬送向きにおいて、前記第１及び第２ローラよりも下流に配置された第３ローラを有する第３ローラユニットと、前記第３ローラと対向し、前記第３ローラとでシートを挟持しつつ搬送するための第４ローラを有する第４ローラユニットと、をさらに備えている。そして、前記支持部材は、前記第３ローラと前記第４ローラとがシートを挟持しつつ搬送する第２搬送位置と、前記第３ローラと前記第４ローラとでシートを挟持する挟持力が前記第２搬送位置におけるよりも小さくなる第２退避位置とをとることが可能に前記第３及び第４ローラを支持しており、前記移動部材は、前記第３及び第４ローラユニットの少なくともいずれかと係合し、前記第１位置において前記第３ローラと前記第４ローラとを前記第２搬送位置とし、前記第２位置において前記第３ローラと前記第４ローラとを前記第２退避位置とすることが好ましい。これにより、第３及び第４ローラにおいても、第１及び第２ローラと同様に、第２搬送位置及び第２退避位置とをとることが可能となる。このため、ジャムしたシートが除去しやすくなるとともに、シートを搬送する際には第３及び第４ローラが第２搬送位置をとるため、シートを正常に搬送することが可能となる。
【００１１】
また、本発明において、前記第２退避位置において、前記第３ローラと前記第４ローラとが離隔していることが好ましい。これにより、ジャムしたシートを第３ローラと第４ローラとの間から除去しやすくなる。
【００１２】
また、本発明において、前記第２ローラに向けて前記第１ローラを付勢する第１付勢部と、前記第４ローラに向けて前記第３ローラを付勢する第２付勢部と、をさらに備えている。そして、前記移動部材は、少なくとも前記第２位置において前記第１及び第３ローラユニットと当接していることが好ましい。これにより、第１及び第２ローラが第１搬送位置及び第１退避位置を、第３及び第４ローラが第２搬送位置及び第２退避位置を確実にとらせることが可能となる。
【００１３】
また、本発明において、前記第１及び第２ローラ、前記支持部材、前記連動機構、及び、前記移動部材を収容する筐体をさらに備えている。そして、前記カバー部が、前記筐体に対して回動可能に取り付けられていることが好ましい。これにより、カバー部と移動部材との位置関係が決めやすく、連動性が向上する。
【００１４】
また、本発明において、前記移動部材は、シートの搬送方向に直交する方向に関して、前記搬送路の外側に配置されていることが好ましい。これにより、搬送路において、シートのジャムが発生するのを抑制することが可能となる。
【発明の効果】
【００１５】
本発明の搬送装置によると、カバー部を開状態とした後、シートを搬送するためにカバー部を閉状態に戻すと、移動部材を第２位置から第１位置に移動させることが可能となる。このため、第１及び第２ローラが第１退避位置をとっていても、シートを搬送する際には第１及び第２ローラが第１搬送位置をとることが可能となる。この結果、シートを正常に搬送することが可能となる。
【図面の簡単な説明】
【００１６】
【図１】図１は、本発明に係る一実施形態の搬送装置が採用された複合機の斜視図である。
【図２】図２は、図１に示すプリンタ部の内部構造を示す概略側面図である。
【図３】図２に示す搬送装置の概略平面図である。
【図４】（ａ）は図３に示すIV−IV線に沿った断面図であり、（ｂ）は図４（ａ）に示す外側ガイド部材が開状態をとるときの搬送ローラ対及び排出ローラ対と支持部材との動作関係を示す状況図である。
【図５】（ａ）は図４に示すV−V線に沿った断面図であり、（ｂ）は図５（ａ）に示す外側ガイド部材が開状態をとるときの搬送ローラ対及び排出ローラ対と移動部材との動作関係を示す状況図である。
【発明を実施するための形態】
【００１７】
以下、適宜図面を参照して本発明の好適な実施の形態について説明する。以下の説明においては、本発明に係る一実施形態である搬送装置１が採用された複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００１８】
［複合機１０の全体構造］
図１に示すように、複合機１０は、略直方体形状を有し、下部にプリンタ部１１が設けられている。複合機１０は、ファクシミリ機能及びプリント機能などの各種の機能を有している。複合機１０は、プリント機能として、インクジェット方式で用紙１２（シート：図２参照）の片面に画像を記録する機能を有している。なお、複合機１０は、用紙１２の両面に画像を記録するものであってもよい。プリンタ部１１は、図２に示すように、用紙１２を複合機１０の内部において搬送する搬送装置１を有する。搬送装置１は、後述する、筐体１１ａ、給送部１６、プラテン４２、搬送ローラ対５０、排出ローラ対６０、支持部材７０、移動部材８０、外側ガイド部材１８、２つの付勢部９８，９９、及び、連動機構９０などを含む。
【００１９】
図１に示すように、プリンタ部１１の正面には、開口１３が形成されている。プリンタ部１１には、各種サイズの用紙１２を収容可能な給送トレイ２０が設けられている。給送トレイ２０は、開口１３を通じて前後方向８に挿抜可能に筐体１１ａに支持されている。給送トレイ２０の上側には、排出トレイ２１が配置されている。排出トレイ２１は、給送トレイ２０と一体に移動する。排出トレイ２１は、後述する記録部２４によって画像が記録され、且つ排出ローラ対６０によって排出された用紙１２を支持する。
【００２０】
筐体１１ａには、図１に示すように、その外周を覆う外装カバー１４が設けられている。筐体１１ａは、プリンタ部１１の本体フレームであって、図２〜図５に示すように、給送部１６、搬送ローラ対５０、記録部２４、プラテン４２、排出ローラ対６０、支持部材７０、移動部材８０、２つの付勢部９８，９９、及び、連動機構９０を収容しつつ支持する。
【００２１】
給送部１６は、給送トレイ２０から用紙１２をピックアップして搬送路３５に給送する。搬送ローラ対５０は、給送部１６によって搬送路３５に給送された用紙１２を搬送向き１５の下流側に搬送する。プラテン４２は、搬送ローラ対５０によって搬送される用紙１２を下側から支持する。記録部２４は、プラテン４２によって支持された用紙１２にインク滴を吐出することによって画像を記録する。排出ローラ対６０は、記録部２４によって画像が記録された用紙１２を排出トレイ２１に排出する。
【００２２】
［搬送路３５］
図２に示すように、給送トレイ２０の後端部から搬送路３５が延出されている。搬送路３５は、湾曲搬送路３３と直線搬送路３４とを含む。湾曲搬送路３３は、プリンタ部１１の後方側を湾曲外側とし且つ前方側を湾曲内側として湾曲しつつ延びている。直線搬送路３４は、前後方向８に延びている。給送トレイ２０に支持された用紙１２は、湾曲搬送路３３を下方から上方へＵターンするように搬送された後、直線搬送路３４を前後方向８の前方に搬送されて記録部２４に導かれる。記録部２４により画像記録が行われた用紙１２は、直線搬送路３４を前後方向８のさらに前方に搬送されて排出トレイ２１に排出される。つまり、用紙１２は、図２に示す一点鎖線の矢印で示される搬送向き１５に沿って搬送される。
【００２３】
湾曲搬送路３３は、所定間隔を隔てて互いに対向する外側ガイド部材１８と内側ガイド部材１９とによって形成されている。外側ガイド部材（カバー部）１８は、湾曲搬送路３３の湾曲外側を形成するガイド面１８ａを有する。内側ガイド部材１９は、湾曲搬送路３３の湾曲内側を形成するガイド面１９ａを有する。直線搬送路３４は、所定間隔を隔てて互いに対向する記録部２４とプラテン４２とによって形成されている。このように各ガイド部材１８，１９は、搬送路３５の少なくとも一部を形成している。
【００２４】
外側ガイド部材１８は、図２に示すように、筐体１１ａに回動可能に支持されている。外側ガイド部材１８の下端部における左右方向９の両端には、図３に示すように、左右方向９に延びた軸４８が形成されている。本実施形態において、軸４８は、外側ガイド部材１８の両端から左右方向９の外側に向けて突出した突起である。軸４８は、筐体１１ａに形成された孔（不図示）に挿入される。これにより、外側ガイド部材１８は、湾曲搬送路３３を覆う被覆位置（図２の実線で示される位置）と、湾曲搬送路３３を露出させる露出位置（図２の二点鎖線で示される位置）とに回動する。外側ガイド部材１８は、被覆位置に配置されているときに、対向する内側ガイド部材１９とともに湾曲搬送路３３を構成する閉状態をとる。一方、外側ガイド部材１８は、露出位置に配置されているときに、内側ガイド部材１９のガイド面１９ａを外部に露出し、湾曲搬送路３３を開放する開状態をとる。これにより、複合機１０のユーザは、湾曲搬送路３３に詰まった用紙１２を除去する（所謂、ジャム処理）ことが可能となる。
【００２５】
また、筐体１１ａには、図２に示すように、外側ガイド部材１８と係合する突起１１ｂが形成されている。外側ガイド部材１８は、閉状態をとるときに、突起１１ｂが配置される窪み１８ｂを有する。これら突起１１ｂと窪み１８ｂとが係合することで、外側ガイド部材１８の閉状態が保持される。
【００２６】
［給送部１６］
給送部１６は、図２に示すように、湾曲搬送路３３より搬送向き１５の上流側であって、給送トレイ２０の上方で且つ記録部２４の下方に設けられている。給送部１６は、給送ローラ２５と、給送アーム２６と、駆動伝達機構２７とを有する。給送ローラ２５は、給送アーム２６の先端部で軸支されている。給送アーム２６は、基端部に設けられた支軸２８を中心として、矢印２９の方向に回動可能に筐体１１ａに支持されている。これにより、給送ローラ２５は、給送トレイ２０又は給送トレイ２０に支持された用紙１２に対して、当接及び離間が可能である。給送ローラ２５は、複数のギヤが噛合されてなる駆動伝達機構２７によって搬送用モータ（不図示）の駆動力が伝達されて回転する。こうして、給送トレイ２０の用紙１２を搬送路３５に向けて搬送する。なお、給送ローラ２５は、搬送用モータとは別に設けられたモータから駆動力を付与されて回転してもよい。
【００２７】
［搬送ローラ対５０］
搬送ローラ対５０は、図２に示すように、搬送ローラ５２（第２ローラ、第２ローラユニット）と、ピンチローラ５３（第１ローラ、第１ローラユニット）とで構成されており、記録部２４よりも搬送向き１５の上流側に配置されている。本実施形態における搬送ローラ５２は、ピンチローラ５３よりも下側に配置されており、湾曲搬送路３３から直線搬送路３４に導かれた用紙１２の下面に当接する。搬送ローラ５２は、搬送用モータから駆動力が付与されて回転する。また、搬送ローラ５２は、搬送用モータから駆動力が付与されて回転する軸部材５２ａと、軸部材５２ａに外嵌されて一体回転するローラ５２ｂとで構成される。
【００２８】
一方、ピンチローラ５３は、搬送ローラ５２に対向して配置されており、用紙１２の上面に当接する。ピンチローラ５３は、軸部材５３ａと、軸部材５３ａに外嵌され、搬送ローラ５２の回転に伴って連れ回るローラ５３ｂとで構成される。軸部材５３ａは、左右方向９において、軸部材５２ａよりも長く形成されている。より詳細には、図３に示すように、左右方向９において、軸部材５２ａは、後述の一対の移動板８１，８２間よりも短く、後述の一対の支持板７１，７２によって支持可能な長さを有し、軸部材５３ａは、一対の移動板８１，８２と当接可能な長さを有する。搬送ローラ５２とピンチローラ５３とは、協働して用紙１２を上下方向７から挟持し、搬送向き１５に搬送する。
【００２９】
搬送ローラ５２は、搬送用モータから駆動力を付与されて正転する。ここで、搬送ローラ５２の正転とは、用紙１２を搬送向き１５に搬送する向きの回転である。すなわち、図２において、搬送ローラ５２の正転は時計回りの回転であり、ピンチローラ５３の正転は反時計回りの回転である。
【００３０】
［排出ローラ対６０］
排出ローラ対６０は、図２に示されるように、排出ローラ６２（第３ローラ、第３ローラユニット）と拍車ローラ６３（第４ローラ、第４ローラユニット）とで構成されており、記録部２４よりも搬送向き１５の下流側に配置されている。本実施形態における排出ローラ６２は、拍車ローラ６３よりも下側に配置されており、直線搬送路３４を搬送される用紙１２の下面に当接する。排出ローラ６２は、搬送用モータから駆動力が付与されて回転する軸部材６２ａと、軸部材６２ａに外嵌されて一体回転するローラ６２ｂとで構成される。
【００３１】
一方、拍車ローラ６３は、排出ローラ６２に対向して配置されており、用紙１２の上面に当接する。拍車ローラ６３は、軸部材６３ａと、軸部材６３ａに外嵌され、排出ローラ６２の回転に伴って連れ回る拍車６３ｂとで構成される。軸部材６３ａは、左右方向９において、軸部材６２ａよりも短く形成されている。より詳細には、図３に示すように、左右方向９において、軸部材６３ａは、後述の一対の移動板８１，８２間よりも短く、後述の一対の支持板７１，７２によって支持可能な長さを有し、軸部材６２ａは、一対の移動板８１，８２と当接可能な長さを有する。排出ローラ６２と拍車ローラ６３とは、協働して用紙１２を上下方向７から挟持し、搬送向き１５に搬送する。その結果、用紙１２は、排出ローラ対６０より搬送向き１５の下流側に位置する開口１３に向けて搬送され、排出トレイ２１に排出される。
【００３２】
排出ローラ６２は、搬送用モータから駆動力を付与されて正転する。ここで、排出ローラ６２の正転とは、用紙１２を搬送向き１５に搬送する向きの回転である。すなわち、図２において、排出ローラ６２の正転は時計回りの回転であり、拍車ローラ６３の正転は反時計回りの回転である。
【００３３】
［プラテン４２］
プラテン４２は、図２に示すように、直線搬送路３４の下側で且つ搬送ローラ対５０及び排出ローラ対６０の間に設けられている。プラテン４２は、上下方向７において記録部２４に対向して配置され、直線搬送路３４を搬送される用紙１２を下側から支持する板状部材である。
【００３４】
［記録部２４］
図２に示すように、記録部２４は、直線搬送路３４の上側で且つ上下方向７においてプラテン４２と対向する位置に配置されている。記録部２４は、キャリッジ４０と記録ヘッド３８とを有している。キャリッジ４０は、２つのガイドレール４５，４６によって支持されている。２つのガイドレール４５，４６は、前後方向８に互いに離隔して配置され、各々が左右方向９に延設されている。キャリッジ４０は、２つのガイドレール４５、４６を跨ぐようにして配置され、２つのガイドレール４５、４６に沿って主走査方向である左右方向９に往復移動する。記録ヘッド３８は、キャリッジ４０に搭載されている。記録ヘッド３８は、インクカートリッジ（不図示）から供給されたインクを、下面に設けられたノズル３９から吐出する。すなわち、キャリッジ４０が左右方向９に移動している過程において、記録ヘッド３８のノズル３９からインク滴がプラテン４２に向けて吐出されることにより、プラテン４２に支持された用紙１２の上面に画像が記録される。
【００３５】
［支持部材７０］
支持部材７０は、図３及び図４に示すように、左右方向９に互いに離隔して配置された一対の支持板７１，７２を有する。これら支持板７１，７２は、図４に示すように、長方形平面形状を有し、筐体１１ａに固定されている。なお、支持板７１，７２は、互いに同じ構成であるため、支持板７１について説明し、支持板７２の説明を省略する。
【００３６】
支持板７１は、左右方向９に貫通した４つの孔７３〜７６を有する。孔７３には、ピンチローラ５３の軸部材５３ａの左側が挿通されている。孔７４には、搬送ローラ５２の軸部材５２ａの左側が挿通されている。孔７５には、排出ローラ６２の軸部材６２ａの左側が挿通されている。孔７６には、拍車ローラの軸部材６３ａの左側が挿通されている。また、支持板７１と同様にして、支持板７２に形成された４つの孔７３〜７６に、それぞれ軸部材５３ａ，５２ａ，６２ａ，６３ａの右側が挿通されている。これにより、搬送ローラ対５０及び排出ローラ対６０が、支持部材７０によって回転可能に支持される。
【００３７】
２つの孔７４，７６は、搬送ローラ５２及び拍車ローラ６３が移動不可能に、軸部材５２ａ，６３ａを支持する。２つの孔７３，７５は、上下方向７に延びる長孔形状を有し、ピンチローラ５３及び排出ローラ６２が上下方向７に移動可能に、軸部材５３ａ，６２ａを支持する。これにより、図４（ａ）に示すように、軸部材５３ａが孔７３の下端に当接する位置であって、ピンチローラ５３が搬送ローラ５２に当接可能な第１搬送位置と、図４（ｂ）に示すように、軸部材５３ａが孔７３の上端に当接する位置であって、ピンチローラ５３が搬送ローラ５２と離隔する第１退避位置とをとることが可能となる。また、図４（ａ）に示すように、軸部材６２ａが孔７５の上端に当接する位置であって、排出ローラ６２が拍車ローラ６３に当接可能な第２搬送位置と、図４（ｂ）に示すように、軸部材６２ａが孔７５の下端に当接する位置であって、排出ローラ６２が拍車ローラ６３と離隔する第２退避位置とをとることが可能となる。第１及び第２搬送位置は、搬送ローラ対５０及び排出ローラ対６０が搬送されてきた用紙１２を挟持しつつ搬送することが可能な位置である。第１及び第２退避位置は、搬送ローラ５２とピンチローラ５３とが離隔し、排出ローラ６２と拍車ローラ６３とが離隔し、各ローラ対５０，６０の用紙１２を挟持する挟持力が第１及び第２搬送位置におけるよりも小さくなる位置である。
【００３８】
変形例として、第１退避位置において、搬送ローラ５２とピンチローラ５３とが当接しつつも両軸部材５２ａ，５３ａの軸間距離が第１搬送位置におけるよりも離れて、搬送ローラ対５０の用紙１２を挟持する挟持力が、第１搬送位置におけるよりも小さくなればよい。また、第２退避位置において、排出ローラ６２と拍車ローラ６３とが当接しつつも両軸部材６２ａ，６３ａの軸間距離が第２搬送位置におけるよりも離れて、排出ローラ対６０の用紙１２を挟持する挟持力が、第２搬送位置におけるよりも小さくなればよい。
【００３９】
また、搬送路３５は、図３に示すように、左右方向９において、搬送ローラ対５０及び排出ローラ対６０のローラ５２ｂ，５３ｂ，６２ｂ及び拍車６３ｂが存在する領域内に形成されており、一対の支持板７１，７２が搬送路３５を挟む位置に配置されている。つまり、一対の支持板７１，７２は、搬送路３５の外側に配置されている。これにより、用紙１２の搬送時に、当該用紙１２が支持部材７０に当接しなくなる。このため、搬送路３５において、用紙１２のジャムが発生するのを抑制することが可能となる。
【００４０】
［移動部材８０］
移動部材８０は、図３及び図５に示すように、左右方向９において、支持部材７０を挟むように、互いに離隔して配置された一対の移動板８１，８２を有する。つまり、一対の移動板８１，８２も、搬送路３５よりも外側に配置されている。これにより、用紙１２の搬送時に、当該用紙１２が移動部材８０に当接しなくなる。このため、搬送路３５において、用紙１２のジャムが発生するのを抑制することが可能となる。これら移動板８１，８２は、図５に示すように、略長方形平面形状を有し、筐体１１ａに前後方向８に移動可能に支持されている。より詳細には、移動部材８０は、図５（ａ）に示す第１位置と、第１位置よりも後方の第２位置（図５（ｂ）参照）とに移動可能である。一対の移動板８１，８２は、図３に示すように、上下方向７に沿って軸部材５２ａ，６３ａとは重ならず、軸部材５３ａ，６２ａの両端部と重なる位置に配置されている。なお、移動板８１，８２は、互いに同じ構成であるため、移動板８１について説明し、移動板８２の説明を省略する。
【００４１】
移動板８１は、図５に示すように、前後方向８の後方部分において上面８８が切り欠かれて構成された切り欠き部８３と、中央よりも前方に形成され左右方向に貫通した貫通部８４とを有する。切り欠き部８３は、第１搬送位置にあるピンチローラ５３と左右方向９に沿って対向する。切り欠き部８３は、上面８８と平行な水平面８３ａと、水平面８３ａと上面８８とを接続する湾曲面８３ｂとで構成されている。水平面８３ａは、移動部材８０が第１位置にあるときに、第１搬送位置をとるピンチローラ５３の軸部材５３ａと当接する位置に配置されている。上面８８は、水平面８３ａよりも高い位置に配置されており、移動部材８０が第２位置にあるときに、第１退避位置をとるピンチローラ５３の軸部材５３ａと当接する位置に配置されている。なお、水平面８３ａは、軸部材５３ａと当接する位置に配置されていなくてもよい。
【００４２】
貫通部８４は、長方形形状の輪郭を形成する４つの内面８４ａ〜８４ｄを有する。このうち、上方にある内面８４ａが上面８８と平行な２つの水平面８５ａ，８５ｂと、これら水平面８５ａ，８５ｂを接続する湾曲面８５ｃとで構成されている。水平面８５ａは、移動部材８０が第１位置にあるときに、第２搬送位置をとる排出ローラ６２の軸部材６２ａと当接する位置に配置されている。水平面８５ｂは、水平面８５ａよりも低い位置に配置されており、移動部材８０が第２位置にあるときに、第２退避位置をとる排出ローラ６２の軸部材６２ａと当接する位置に配置されている。なお、水平面８５ａは、軸部材６２ａと当接する位置に配置されていなくてもよい。
【００４３】
［付勢部９８，９９］
付勢部９８（第１付勢部）は、搬送ローラ５２に向けてピンチローラ５３を付勢するように、軸部材５３ａの両端を下方に付勢する２つのコイルバネから構成されている。付勢部９９（第２付勢部）は、拍車ローラ６３に向けて排出ローラ６２を付勢するように、軸部材６２ａの両端を上方に付勢する２つのコイルバネから構成されている。なお、付勢部９８，９９は、コイルバネ以外の弾性部材から構成されていてもよい。
【００４４】
［連動機構９０］
連動機構９０は、一対の移動板８１，８２のそれぞれを後方に向かって付勢する２つのコイルバネ９０ａ，９０ｂ（付勢部材）から構成されている。これにより、連動機構９０は、図３及び図５（ａ）に示すように、外側ガイド部材１８が閉状態をとるときに、一対の移動板８１，８２の各後端面８１ａ，８２ａが外側ガイド部材１８の前端面１８ｃに当接するように、移動部材８０を付勢する。
【００４５】
次に、外側ガイド部材１８を動作させたときの搬送ローラ対５０及び排出ローラ対６０の動作状況について、以下に説明する。例えば、搬送路３５に用紙１２が詰まるジャムが生じた場合、ユーザは外側ガイド部材１８を閉状態から開状態に移動させて、当該ジャムした用紙１２を除去する。外側ガイド部材１８を閉状態から開状態に移動させると、連動機構９０によって外側ガイド部材１８に向かって付勢された移動部材８０が、図５（ａ）に示す第１位置から図５（ｂ）に示す第２位置へと、外側ガイド部材１８に連動して移動する。移動部材８０が第１位置をとるとき、図４（ａ）及び図５（ａ）に示すように、軸部材５３ａは孔７３の下端及び水平面８３ａと当接し搬送ローラ対５０が第１搬送位置をとり、軸部材６２ａが孔７５の上端及び水平面８５ａと当接し排出ローラ対６０が第２搬送位置をとる。
【００４６】
移動部材８０が第１位置から第２位置へと移動すると、軸部材５３ａが水平面８３ａから湾曲面８３ｂ、上面８８と順に当接し、移動部材８０が軸部材５３ａを付勢部９８の付勢力に抗して上方に移動させる。これにより、軸部材５３ａが孔７３の上端と当接する位置に位置付けられ、搬送ローラ対５０を第１搬送位置から第１退避位置とする。さらにこのとき、軸部材６２ａが水平面８５ａから湾曲面８５ｃ、水平面８５ｂと順に当接し、移動部材８０が軸部材６２ａを付勢部９９の付勢力に抗して下方に移動させる。これにより、軸部材６２ａが孔７５の下端と当接する位置に位置付けられ、排出ローラ対６０を第２搬送位置から第２退避位置とする。このように移動部材８０が、搬送ローラ対５０及び排出ローラ対６０を退避位置とするため、ジャムした用紙１２が搬送ローラ対５０や排出ローラ対６０に挟持されていても、容易に除去することが可能となる。
【００４７】
ユーザがジャムした用紙Ｐを除去し、外側ガイド部材１８は開状態から閉状態に移動させると、外側ガイド部材１８と移動部材８０とが当接し、連動機構９０による付勢力に抗して移動部材８０が第２位置から第１位置に、外側ガイド部材１８に連動して移動する。移動部材８０が第２位置から第１位置に移動すると、軸部材５３ａが付勢部９８の付勢力によって、上面８８から湾曲面８３ｂ、水平面８３ａと順に当接しつつ下方に移動する。これにより、軸部材５３ａが孔７３の下端に当接する位置に位置付けられ、搬送ローラ対５０を第１退避位置から第１搬送位置とする。さらにこのとき、軸部材６２ａが付勢部９９の付勢力によって、水平面８５ｂから湾曲面８５ｃ、水平面８５ａと順に当接しつつ上方に移動する。これにより、軸部材６２ａが孔７５の上端に当接する位置に位置付けられ、排出ローラ対６０を第２退避位置から第２搬送位置とする。このように外側ガイド部材１８を閉状態とするだけで、搬送ローラ対５０及び排出ローラ対６０を自動的に搬送位置とすることが可能となる。このため、用紙１２を再送する際には、搬送ローラ対５０及び排出ローラ対６０が搬送位置を確実にとり、用紙１２を正常に搬送することが可能となる。
【００４８】
以上に述べたように、本実施形態による搬送装置１が採用された複合機１０によると、外側ガイド部材１８を開状態とした後、用紙１２を搬送するために外側ガイド部材１８を閉状態に戻すと、移動部材８０を第２位置から第１位置に移動させることが可能となる。このため、搬送ローラ対５０が第１退避位置をとっていても、用紙１２を搬送する際には搬送ローラ対５０が第１搬送位置をとることが可能となる。この結果、用紙１２を正常に搬送することが可能となる。また、搬送ローラ対５０のみならず排出ローラ対６０も、搬送ローラ対５０と同様に、第２搬送位置及び第２退避位置をとる。このため、ジャムした用紙１２が除去しやすくなるとともに、用紙１２を搬送する際には排出ローラ対６０が第２搬送位置をとるため、用紙１２を正常に搬送することが可能となる。
【００４９】
また、外側ガイド部材１８は、閉状態において、移動部材８０を介して連動機構９０によって付勢されている。このため、外側ガイド部材１８を閉状態に保持する突起１１ｂと窪み１８ｂとが隙間なく当接し、外側ガイド部材１８が位置決めされる。この結果、搬送路３５の一部を構成するガイド面１８ａの位置が安定する。
【００５０】
また、外側ガイド部材１８が、筐体１１ａに対して回動可能に取り付けられている。これにより、外側ガイド部材１８が、筐体１１ａから取り外し可能なものと比して、移動部材８０との位置関係が決めやすくなり、連動性を向上させることが可能となる。
【００５１】
また、第１退避位置において搬送ローラ５２とピンチローラ５３とが、第２退避位置において排出ローラ６２と拍車ローラ６３とが互いに離隔している。このため、ジャムした用紙１２をローラ間から除去しやすくなる。
【００５２】
また、２つの付勢部９８，９９を有していることで、搬送ローラ対５０が第１搬送位置及び第１退避位置を、排出ローラ対６０が第２搬送位置及び第２退避位置を確実にとらせることが可能となる。
【００５３】
以上、本発明の好適な実施の形態について説明したが、本発明は上述の実施の形態に限られるものではなく、特許請求の範囲に記載した限りにおいて様々な変更が可能なものである。例えば、移動部材８０が、第１位置から第２位置に移動する際に、搬送ローラ５２又は搬送ローラ５２及びピンチローラ５３の両方を移動させて第１退避位置をとらせてもよい。また、別の変形例として、移動部材８０が、第１位置から第２位置に移動する際に、拍車ローラ６３又は排出ローラ６２及び拍車ローラ６３の両方を移動させて第２退避位置をとらせてもよい。また、搬送装置１は、搬送ローラ対５０及び排出ローラ対６０のいずれか一方のみ設けられていてもよい。また、上述の実施形態においては、第１ローラユニットとしてピンチローラ５３が採用され、第２ローラユニットとして搬送ローラ５２が採用され、第３ローラユニットとして排出ローラ６２が採用され、第４ローラユニットとして、拍車ローラ６３が採用されているが、各ローラユニットが、各ローラの軸部材を支持する別の支持部材を有していてもよい。この場合、当該支持部材を軸部材に代えて移動部材８０で移動させることで、上述の実施形態及び変形例のように、第１及び第２搬送位置から第１及び第２退避位置をとらせてもよい。
【００５４】
また、別の変形例として、付勢部９８が設けられていなくてもよい。この場合、ピンチローラ５３は自重で第１退避位置から第１搬送位置に復帰する。また、別の変形例として、拍車ローラ６３を上下方向７に移動させる場合も、当該拍車ローラを排出ローラ６２に付勢する付勢部を設けなくてもよい。この場合においても、拍車ローラ６３は自重で第２退避位置から第２搬送位置に復帰する。
【００５５】
また、連動機構９０が、２つのコイルバネ９０ａ，９０ｂに代えて別の弾性部材から構成されていてもよい。また、連動機構が、外側ガイド部材１８を閉状態から開状態とする際に移動部材８０を第１位置から第２位置に移動させ、外側ガイド部材１８を開状態から閉状態とする際に移動部材８０を第２位置から第１位置に移動させるリンク機構から構成されていてもよい。また、外側ガイド部材１８は、筐体１１ａに対して着脱可能に構成されていてもよい。
【００５６】
本発明は、複合機のみならず、ライン式・シリアル式のインクジェットプリンタや、レーザー式やサーマル式などの記録装置などにも適用可能である。シートであれば、用紙１２以外のものであってもよい。
【符号の説明】
【００５７】
１  搬送装置
１１ａ  筐体
１８  外側ガイド部材（カバー部）
１８ａ  ガイド面
５２  搬送ローラ（第２ローラ、第２ローラユニット）
５３  ピンチローラ（第１ローラ、第１ローラユニット）
６２  排出ローラ（第３ローラ、第３ローラユニット）
６３  拍車ローラ（第４ローラ、第４ローラユニット）
７０  支持部材
８０  移動部材
９０  連動機構
９０ａ，９０ｂ  コイルバネ（付勢部材）
９８  付勢部（第１付勢部）
９９  付勢部（第２付勢部）
【図１】
2015178400.tif 000003
【図２】
2015178400.tif 000004
【図３】
2015178400.tif 000005
【図４】
2015178400.tif 000006
【図５】
2015178400.tif 000007